【手続補正書】
【提出日】平成27年11月17日(2015.11.17)
【手続補正１】
【補正対象書類名】特許請求の範囲
【補正対象項目名】全文
【補正方法】変更
【補正の内容】
【特許請求の範囲】
【請求項１】
式
Ｄ’−ＰＡ−Ｄ”
によって特徴付けられる水素化線状ポリマー及び式
（Ｄ’−ＰＡ−Ｄ”）n−Ｘ
によって特徴付けられる水素化星型ポリマー
［式中、Ｄ’は、ジエンに由来するブロックを表し；ＰＡは、モノアルケニルアレーンに由来するブロックを表し；Ｄ”は、ジエンに由来するブロックを表し；ｎは、１モルのアーム当たり２モル以上のポリアルケニルカップリング剤の反応によって形成される星型ポリマー１つ当たりのアームの平均数を表し；Ｘは、ポリアルケニルカップリング剤の核を表し；
式中、ジエンブロックＤ’及びＤ”の少なくとも１つは、混合ジエンモノマーに由来するコポリマーブロックであり、ここで、組み入れられたモノマー単位の６５ｗｔ％から９５ｗｔ％はイソプレンからであり、組み入れられたモノマー単位の５ｗｔ％から３５ｗｔ％まではブタジエンからであり、ここで、少なくとも８０ｗｔ％のブタジエンは、１，４−配置で組み入れられており；
式中、Ｄ’は、１０，０００から１２０，０００ダルトンの数平均分子量を有し；ＰＡは、１０，０００から５０，０００ダルトンの数平均分子量を有し；Ｄ”は、５，０００から６０，０００ダルトンの数平均分子量を有する］、
を含む潤滑油組成物のための粘度指数向上剤としての使用に適するポリマー。
【請求項２】
Ｄ’が、２０，０００から６０，０００ダルトンの数平均分子量を有する、請求項１に記載のポリマー。
【請求項３】
ＰＡが、１２，０００から３５，０００ダルトンの数平均分子量を有する、請求項１又は２に記載のポリマー。
【請求項４】
Ｄ”が、１０，０００から３０，０００ダルトンの数平均分子量を有する、請求項１〜３のいずれか１項に記載のポリマー。
【請求項５】
Ｄ’が、２０，０００から６０，０００ダルトンの数平均分子量を有し；Ｄ”が、８，０００から３０，０００ダルトンの数平均分子量を有し；ＰＡが、１２，０００から３５，０００ダルトンの数平均分子量を有する、請求項１に記載のポリマー。
【請求項６】
Ｄ’の数平均分子量とＤ”の数平均分子量との間の比が、少なくとも１．４：１である、請求項１〜５のいずれか１項に記載のポリマー。
【請求項７】
Ｄ’の数平均分子量とＤ”の数平均分子量との間の比が、少なくとも２．０：１である、請求項６に記載のポリマー。
【請求項８】
ＰＡの数平均分子量とＤ”の数平均分子量との間の比が、少なくとも０．７５：１である、請求項１〜７のいずれか１項に記載のポリマー。
【請求項９】
ＰＡの数平均分子量とＤ”の数平均分子量との間の比が、少なくとも１．０：１である、請求項８に記載のポリマー。
【請求項１０】
星型ポリマーについて、ｎが、平均で４から２５である、請求項１〜９のいずれか１項に記載のポリマー。
【請求項１１】
星型ポリマーが、１００，０００ダルトンから１，０００，０００ダルトンの総数平均分子量を有する、請求項１〜１０のいずれか１項に記載のポリマー。
【請求項１２】
線状ポリマーが、４０，０００ダルトンから１，０００，０００ダルトンの総数平均分子量を有する、請求項１〜９のいずれか１項に記載のポリマー。
【請求項１３】
主要量の潤滑粘度のオイルと、潤滑油組成物の粘度指数を調整するのに有効な、潤滑油組成物中に０．１ｗｔ％から２．５ｗｔ％活性成分の量の請求項１〜１２のいずれか１項に記載のポリマーとを含む、潤滑油組成物。
【請求項１４】
潤滑油組成物中に０．１ｗｔ％から２．５ｗｔ％活性成分の有効量の添加剤としての、主要量の潤滑粘度のオイルを含む潤滑油組成物の粘度を調整するための、請求項１〜１２のいずれか１項に記載のポリマーの使用。
【請求項１５】
３ｗｔ％から２５ｗｔ％の請求項１〜１１のいずれか１項に記載の星型ポリマーを含むコンセントレート。
【手続補正２】
【補正対象書類名】明細書
【補正対象項目名】００７７
【補正方法】変更
【補正の内容】
【００７７】
本明細書に記載の全ての特許、論文及び他の資料の開示は、それらの全体が、参照を通じて本明細書に組み込まれる。本発明の原理、好ましい実施形態及び作用方式が、前記の明細書において記載された。しかし、出願人等が提示するものは、彼らの発明であるが、開示された実施形態が限定であるよりは、むしろ例示と見なされるので、開示された特定の実施形態に限定されると解釈されるべきではない。変更が、本発明の精神から逸脱することなく、当業者によって成され得る。さらに、成分（例えば、ＶＩ向上剤、添加剤及びオイル）の組合せを記載するために用いられている場合、用語「含む」は、言及された成分の混合により得られる組成物を含むと解釈されるべきである。
次に、本発明の態様を示す。
１.  式
Ｄ’−ＰＡ−Ｄ”
によって特徴付けられる水素化線状ポリマー及び式
（Ｄ’−ＰＡ−Ｄ”）n−Ｘ
によって特徴付けられる水素化星型ポリマー
［式中、Ｄ’は、ジエンに由来するブロックを表し；ＰＡは、モノアルケニルアレーンに由来するブロックを表し；Ｄ”は、ジエンに由来するブロックを表し；ｎは、１モルのアーム当たり２モル以上のポリアルケニルカップリング剤の反応によって形成される星型ポリマー１つ当たりのアームの平均数を表し；Ｘは、ポリアルケニルカップリング剤の核を表し；
式中、ジエンブロックＤ’及びＤ”の少なくとも１つは、混合ジエンモノマーに由来するコポリマーブロックであり、ここで、組み入れられたモノマー単位の約６５ｗｔ％から約９５ｗｔ％はイソプレンからであり、組み入れられたモノマー単位の約５ｗｔ％から約３５ｗｔ％まではブタジエンからであり、ここで、少なくとも約８０ｗｔ％のブタジエンは、１，４−配置で組み入れられており；
式中、Ｄ’は、約１０，０００から約１２０，０００ダルトンの数平均分子量を有し；ＰＡは、約１０，０００から約５０，０００ダルトンの数平均分子量を有し；Ｄ”は、約５，０００から約６０，０００ダルトンの数平均分子量を有する］、
を含む潤滑油組成物のための粘度指数向上剤としての使用に適するポリマー。
２.  Ｄ’が、約２０，０００から約６０，０００ダルトンの数平均分子量を有する、上記１に記載のポリマー。
３.  Ｄ”が、約１０，０００から約３０，０００ダルトンの数平均分子量を有する、上記１に記載のポリマー。
４.  ＰＡが、約１２，０００から約３５，０００ダルトンの数平均分子量を有する、上記１に記載のポリマー。
５.  Ｄ’が、約２０，０００から約６０，０００ダルトンの数平均分子量を有し；Ｄ”が、約８，０００から約３０，０００ダルトンの数平均分子量を有し；ＰＡが、約１２，０００から約３５，０００ダルトンの数平均分子量を有する、上記１に記載のポリマー。
６.  Ｄ’の数平均分子量とＤ”の数平均分子量との間の比が、少なくとも約１．４：１である、上記１に記載のポリマー。
７.  Ｄ’の数平均分子量とＤ”の数平均分子量との間の比が、少なくとも約１．９：１である、上記６に記載のポリマー。
８.  Ｄ’の数平均分子量とＤ”の数平均分子量との間の比が、少なくとも約２．０：１である、上記７に記載のポリマー。
９.  ＰＡの数平均分子量とＤ”の数平均分子量との間の比が、少なくとも約０．７５：１である、上記１に記載のポリマー。
１０.  ＰＡの数平均分子量とＤ”の数平均分子量との間の比が、少なくとも約０．９：１である、上記９に記載のポリマー。
１１.  ＰＡの数平均分子量とＤ”の数平均分子量との間の比が、少なくとも約１．０：１である、上記１０に記載のポリマー。
１２.  ＰＡの数平均分子量とＤ”の数平均分子量との間の比が、少なくとも約０．７５：１である、上記６に記載のポリマー。
１３.  ＰＡの数平均分子量とＤ”の数平均分子量との間の比が、少なくとも約０．９：１である、上記１２に記載のポリマー。
１４.  ＰＡの数平均分子量とＤ”の数平均分子量との間の比が、少なくとも約１．０：１である、上記１３に記載のポリマー。
１５.  ｎが、平均で約４から約２５である、上記１に記載の星型ポリマー。
１６.  ｎが、平均で約１０から約２０である、上記１５に記載の星型ポリマー。
１７.  約１００，０００ダルトンから約１，０００，０００ダルトンの総数平均分子量を有する、上記１５に記載の星型ポリマー。
１８.  Ｄ’が、約２０，０００から約６０，０００ダルトンの数平均分子量を有し；Ｄ”が、約１０，０００から約３０，０００ダルトンの数平均分子量を有し；ＰＡが、約１２，０００から約３５，０００ダルトンの数平均分子量を有する、上記１５に記載の星型ポリマー。
１９.  Ｄ’の数平均分子量とＤ”の数平均分子量との間の比が、少なくとも約１．４：１である、上記１５に記載の星型ポリマー。
２０.  Ｄ’の数平均分子量とＤ”の数平均分子量との間の比が、少なくとも約１．９：１である、上記１９に記載の星型ポリマー。
２１.  Ｄ’の数平均分子量とＤ”の数平均分子量との間の比が、少なくとも約２．０：１である、上記２０に記載の星型ポリマー。
２２.  ＰＡの数平均分子量とＤ”の数平均分子量との間の比が、少なくとも約０．７５：１である、上記１５に記載の星型ポリマー。
２３.  ＰＡの数平均分子量とＤ”の数平均分子量との間の比が、少なくとも約０．９：１である、上記２２に記載の星型ポリマー。
２４.  ＰＡの数平均分子量とＤ”の数平均分子量との間の比が、少なくとも約１．０：１である、上記２３に記載の星型ポリマー。
２５.  ＰＡの数平均分子量とＤ”の数平均分子量との間の比が、少なくとも約０．７５：１である、上記１９に記載の星型ポリマー。
２６.  ＰＡの数平均分子量とＤ”の数平均分子量との間の比が、少なくとも約０．９：１である、上記２５に記載の星型ポリマー。
２７.  ＰＡの数平均分子量とＤ”の数平均分子量との間の比が、少なくとも約１．０：１である、上記２６に記載の星型ポリマー。
２８.  約４０，０００ダルトンから約１，０００，０００ダルトンの総数平均分子量を有する、上記１に記載の線状ポリマー。
２９.  主要量の潤滑粘度のオイルと、潤滑油組成物の粘度指数を調整するのに有効な量の上記１に記載のポリマーとを含む、潤滑油組成物。
３０.  主要量の潤滑粘度のオイルを含む潤滑油組成物の粘度指数を調整する方法であって、潤滑粘度の前記オイルに、有効量の上記１に記載のポリマーを添加するステップを含む方法。
３１.  ３ｗｔ％から２５ｗｔ％の上記１に記載の星型ポリマーを含むコンセントレート。
３２.    オートマチックトランスミッションシステムを、
（ａ）潤滑粘度のオイルと、
（ｂ）式
Ｄ’−ＰＡ−Ｄ”
によって特徴付けられる線状ポリマー及び式
（Ｄ’−ＰＡ−Ｄ”）n−Ｘ
によって特徴付けられる星型ポリマー
［式中、Ｄ’は、ジエンに由来するブロックを表し；ＰＡは、モノアルケニルアレーンに由来するブロックを表し；Ｄ”は、ジエンに由来するブロックを表し；ｎは、１モルのアーム当たり２モル以上のポリアルケニルカップリング剤の反応によって形成される星型ポリマー１つ当たりのアームの平均数を表し；Ｘは、ポリアルケニルカップリング剤の核を表し；
式中、ジエンブロックＤ’及びＤ”の少なくとも１つは、混合ジエンモノマーに由来するコポリマーブロックであり、ここで、組み入れられたモノマー単位の６５ｗｔ％から９５ｗｔ％はイソプレンからであり、組み入れられたモノマー単位の５ｗｔ％から３５ｗｔ％まではブタジエンからであり、ここで、少なくとも８０ｗｔ％のブタジエンは、１，４−配置で組み入れられており；
式中、Ｄ’は、１０，０００から１２０，０００ダルトンの数平均分子量を有し；ＰＡは、１０，０００から５０，０００ダルトンの数平均分子量を有し；Ｄ”は、５，０００から６０，０００ダルトンの数平均分子量を有する］
を含む粘度調整ポリマーと、
（ｃ）性能添加剤パッケージと
を含む潤滑剤組成物により潤滑するステップ
を含む、自動車の燃費を向上させるための方法。